(57)【要約】  【課題】  使用者の操作特徴量により使用者の自動認証を実施し、セキュリティを強化することができる情報入力装置を提供すること。  【解決手段】  使用者を特定した上で、情報を入力する情報入力装置であって、所定の情報を入力する情報入力手段２，３と、使用者の変更検知レベルを予め記憶する変更検知レベル記憶手段５と、使用者の操作状況を取得する操作状況取得手段と、操作状況から操作特徴量を算出する操作特徴量算出手段と、操作特徴量の履歴情報を記憶する履歴情報記憶手段５と、算出された操作特徴量と履歴情報とに基づいて操作特徴量の変化量を算出する変化量算出手段と、操作特徴量の変化量と変更検知レベルとに基づき使用者の変更を検知する使用者変更検知手段と、使用者の変更を検知された場合に、使用者の識別情報を入力するための入力画面を表示する表示手段４と、を備えた。【選択図】  図１
2006243947.tif 000002
【特許請求の範囲】
【請求項１】
使用者を特定した上で、情報を入力する情報入力装置であって、
所定の情報を入力する情報入力手段と、
使用者の変更を検知するための変更検知レベルを予め記憶する変更検知レベル記憶手段と、
前記情報入力手段の使用者の操作状況を取得する操作状況取得手段と、
前記操作状況取得手段によって取得された操作状況から操作特徴量を算出する操作特徴量算出手段と、
前記操作特徴量の履歴情報を記憶する履歴情報記憶手段と、
前記操作特徴量算出手段によって算出された操作特徴量と前記履歴情報とに基づいて前記操作特徴量の変化量を算出する変化量算出手段と、
前記操作特徴量の変化量と前記変更検知レベルとに基づき使用者の変更を検知する使用者変更検知手段と、
前記使用者変更検知手段により使用者の変更を検知された場合に、使用者の識別情報を入力するための入力画面を表示する表示手段と、を備えたことを特徴とする情報入力装置。
【請求項２】
前記履歴情報記憶手段に記憶されている履歴情報は、過去の操作特徴量を統計処理した値を用いることを特徴とする請求項１に記載の情報入力装置。
【請求項３】
前記使用者変更検知手段により、使用者の変更が検知された場合に、入力された使用者の識別情報に基づいて、前記変更検知レベル記憶手段に記憶されている変更検知レベルを変更する検知レベル変更手段を備えたことを特徴とする請求項１に記載の情報入力装置。
【請求項４】
前記情報入力手段は、キーボードによって構成され、前記操作特徴量算出手段は、キー入力の速度に基づいて前記操作特徴量を算出することを特徴とする請求項１に記載の情報入力装置。
【請求項５】
前記操作特徴量算出手段は、使用者が選択した入力方法の組み合わせに基づいて前記操作特徴量を算出することを特徴とする請求項１に記載の情報入力装置。
【請求項６】
前記情報入力手段はマウスによって構成され、前記操作特徴量算出手段は、マウスクリックの速度に基づいて前記操作特徴量を算出することを特徴とする請求項１に記載の情報入力装置。
【請求項７】
前記情報入力手段はキーボードによって構成され、前記キーボードによって入力情報が訂正された場合に、前記操作特徴量算出手段は、一定時間間隔で前記入力情報が訂正された回数に基づいて前記操作特徴量を算出することを特徴とする請求項１に記載の情報入力装置。
【請求項８】
前記変化量算出手段は、前記操作状況取得手段による操作状況の取得する時間間隔が、規定された時間以上間隔があいた場合に、その取得された前後で変化量を算出することを特徴とする請求項１に記載の情報入力装置。
【請求項９】
使用者を特定した上で、情報を入力する情報入力方法であって、
所定の情報を入力する情報入力手順と、
使用者の変更を検知するための変更検知レベルを予め記憶する変更検知レベル記憶手順と、
前記使用者の操作状況を取得する操作状況取得手順と、
取得された操作状況から操作特徴量を算出する操作特徴量算出手順と、
前記操作特徴量の履歴情報を記憶する履歴情報記憶手順と、
算出された操作特徴量と前記履歴情報とに基づいて前記操作特徴量の変化量を算出する変化量算出手順と、
前記操作特徴量の変化量と前記変更検知レベルとに基づき使用者の変更を検知する使用者変更検知手順と、
使用者の変更を検知された場合に、使用者の識別情報を入力するための入力画面を表示する表示手順と、を備えたことを特徴とする情報入力方法。
【請求項１０】
請求項９に記載の情報入力方法の手順を実行するためのプログラムを記憶した記憶媒体。
【発明の詳細な説明】
【技術分野】
【０００１】
本発明は、キーボード、マウス等の入力装置を用いて活用する情報システムにおいて、システム使用者を認証する機能を有する情報入力装置及び情報システムに関する。
【背景技術】
【０００２】
従来、システム使用者を認証に関する発明として、例えば特許文献１、２に示すものがある。
特許文献１には、ネットワークに接続されているコンピュータ装置において、ユーザＩＤ及びパスワードで使用者本人を認識し、他の人間が自由にコンピュータを操作することを防止することを目的とした自動認証方法が開示されている。この特許文献１に開示された自動認証方法では、ＩＤ自動入力装置、自動登録処理部及び自動認識処理部を備え、自動入力装置から読み込んだデータをデータ管理部のある自動登録処理部で管理し、一定時間毎にデータの照合をして使用者のセキュリティを上げている。
【０００３】
また、特許文献２には、信号を受信すると信号を返すことができる器具を埋め込んだアクセサリをユーザが身につけ、そのアクセサリから発信された信号をセンサを具備した印刷装置で受信し、どのユーザが付近にいるのかを印刷装置側が認識することのできる印刷システムが開示されている。そしてこの特許文献２の印刷システムでは、ユーザに意識させずに印刷装置がユーザの存在と属性を把握でき、認識したユーザにあった装置の設定に変更することで、利便性を向上させることができる。
【０００４】
【特許文献１】特開平０８−３１４８６２公報
【特許文献２】特開２００３−２７１３２６公報
【発明の開示】
【発明が解決しようとする課題】
【０００５】
しかしながら、特許文献１に開示された自動認証方法では、クリーンルーム等、作業者固有の身体情報を識別することが困難な環境においては、使用することができないという問題があった。
さらに、特許文献２に開示された印刷装置では、ユーザごとに固有のアクセサリを用意し、さらにユーザがそのアクセサリを身につけていないとユーザ認識できないという問題があった。
【０００６】
本発明は、従来の問題を解決するためになされたもので、クリーンルーム等の使用者認証方法として指紋等の身体的特徴を使用できない環境においても、また、ユーザごとに固有の器具を用意することをしなくても、セキュリティを強化することができる情報入力装置、情報入力方法を提供することを目的とする。
【課題を解決するための手段】
【０００７】
本発明に係る情報入力装置は、使用者を特定した上で、情報を入力する情報入力装置であって、所定の情報を入力する情報入力手段と、使用者の変更を検知するための変更検知レベルを予め記憶する変更検知レベル記憶手段と、前記情報入力手段の使用者の操作状況を取得する操作状況取得手段と、前記操作状況取得手段によって取得された操作状況から操作特徴量を算出する操作特徴量算出手段と、前記操作特徴量の履歴情報を記憶する履歴情報記憶手段と、前記操作特徴量算出手段によって算出された操作特徴量と前記履歴情報とに基づいて前記操作特徴量の変化量を算出する変化量算出手段と、前記操作特徴量の変化量と前記変更検知レベルとに基づき使用者の変更を検知する使用者変更検知手段と、前記使用者変更検知手段により使用者の変更を検知された場合に、使用者の識別情報を入力するための入力画面を表示する表示手段と、を備えたことを特徴とする。
この構成により、クリーンルーム等の使用者認証方法として指紋等の身体的特徴を使用できない環境においても、また、ユーザごとに固有の器具を用意することをしなくても、使用者の操作特徴量により使用者の自動認証を実施し、セキュリティを強化することができる。また、コンピュータ装置の使用者が替わったときに、使用者情報を再設定忘れの防止、及びなりすましによるコンピュータ装置を使用することを防止することを目的に、使用者が意識しなくても自動的に使用者の変更を検知するようにしたものであり、使用者変更検知の方法は、キーボード操作速度、操作パターン、マウスボタンのクリック速度等、入力装置の操作特徴量を用いることで、クリーンルーム内等の手袋を着用する環境下でも、身体的特徴によらず使用者の変更を検知することができ、情報システムのセキュリティを強化することができる。
【０００８】
また、本発明に係る情報入力装置は、前記履歴情報記憶手段に記憶されている履歴情報は、過去の操作特徴量を統計処理した値を用いることを特徴とする。
この構成により、長期間に亘る操作特徴量を統計処理した値に基づいて変化量を算出することで、同一の作業者で同一の操作をする場合にも生じる操作の揺らぎを許容することができ、セキュリティを強化しながらも、操作性を低下させないようにした情報入力装置を提供することができる。すなわち、履歴情報を元に算出できる過去の操作特徴量の平均とばらつきを元に、操作特徴量の変化量を算出し、その変化量を元に、使用者の変更を検知できる。
【０００９】
また、本発明に係る情報入力装置は、前記使用者変更検知手段により、使用者の変更が検知された場合に、入力された使用者の識別情報に基づいて、前記変更検知レベル記憶手段に記憶されている変更検知レベルを変更する検知レベル変更手段を備えたことを特徴とする。
この構成により、使用者の変更を検知する基準を、必要に応じて変更することが可能であり、同一の作業者で同一の操作をする場合にも生じる操作特徴量の変化を許容することができ、セキュリティを強化しながらも、操作性を低下させないようにした情報入力装置を提供することができる。すなわち、使用者の変更が検知されたときに、使用者の識別情報を入力する手段により入力された情報を元に、使用者情報の変化を識別する範囲の規格値を変更するようにした。
【００１０】
また、本発明に係る情報入力装置は、前記情報入力手段は、キーボードによって構成され、前記操作特徴量算出手段は、キー入力の速度に基づいて前記操作特徴量を算出することが好ましい。
この構成により、キー入力の速度を操作特徴量とし、前記操作特徴量の変化を識別し、前記操作特徴量の変化に基づき使用者の変更を検知することができる。
【００１１】
また、本発明に係る情報入力装置は、前記操作特徴量算出手段は、使用者が選択した入力方法の組み合わせに基づいて前記操作特徴量を算出してもよい。
この構成により、特定の情報を入力するために必要な入力方法が複数用意され、作業者が前記入力方法を任意に選択して入力できるときに、選択した入力方法の組み合わせを操作特徴量とし、前記操作特徴量の変化を識別し、前記操作特徴量の変化に基づき使用者の変更を検知することができる。
【００１２】
また、本発明に係る情報入力装置は、前記情報入力手段はマウスによって構成され、前記操作特徴量算出手段は、マウスクリックの速度に基づいて前記操作特徴量を算出してもよい。
この構成により、マウスより情報を入力したときに、マウスボタンのクリック速度を操作特徴量とし、前記操作特徴量の変化を識別し、前記操作特徴量の変化に基づき使用者の変更を検知することができる。
【００１３】
また、本発明に係る情報入力装置は、前記情報入力手段はキーボードによって構成され、前記キーボードによって入力情報が訂正された場合に、前記操作特徴量算出手段は、一定時間間隔で前記入力情報が訂正された回数に基づいて前記操作特徴量を算出してもよい。
この構成により、キーボードにより情報を入力し、さらに情報を入力した後に入力情報を訂正した時に、一定時間の間に、前記入力情報を訂正する手段を使用した回数を操作特徴量とし、前記操作特徴量の変化を識別し、前記操作特徴量の変化に基づき使用者の変更を検知することができる。
【００１４】
また、本発明に係る情報入力装置は、前記変化量算出手段は、前記操作状況取得手段による操作状況の取得する時間間隔が、規定された時間以上間隔があいた場合に、その取得された前後で変化量を算出することを特徴とする。
この構成により、使用者変更の検知を、操作特徴量を取得する間隔が、規定された時間以上あいたときにのみ、その取得した前後で変化量を算出することで、使用者変更の検知を行うことで生じるシステム負荷を低減することができる。
【００１５】
また、本発明に係る情報入力方法は、使用者を特定した上で、情報を入力する情報入力方法であって、所定の情報を入力する情報入力手順と、使用者の変更を検知するための変更検知レベルを予め記憶する変更検知レベル記憶手順と、前記使用者の操作状況を取得する操作状況取得手順と、取得された操作状況から操作特徴量を算出する操作特徴量算出手順と、前記操作特徴量の履歴情報を記憶する履歴情報記憶手順と、算出された操作特徴量と前記履歴情報とに基づいて前記操作特徴量の変化量を算出する変化量算出手順と、前記操作特徴量の変化量と前記変更検知レベルとに基づき使用者の変更を検知する使用者変更検知手順と、使用者の変更を検知された場合に、使用者の識別情報を入力するための入力画面を表示する表示手順と、を備えたことを特徴とする情報入力方法。
この構成により、クリーンルーム等の使用者認証方法として指紋等の身体的特徴を使用できない環境においても、また、ユーザごとに固有の器具を用意することをしなくても、使用者の操作特徴量により使用者の自動認証を実施し、セキュリティを強化することができる。また、コンピュータ装置の使用者が替わったときに、使用者情報を再設定忘れの防止、及びなりすましによるコンピュータ装置を使用することを防止することを目的に、使用者が意識しなくても自動的に使用者の変更を検知するようにしたものであり、使用者変更検知の方法は、キーボード操作速度、操作パターン、マウスボタンのクリック速度等、入力装置の操作特徴量を用いることで、クリーンルーム内等の手袋を着用する環境下でも、身体的特徴によらず使用者の変更を検知することができ、情報システムのセキュリティを強化することができる。
【００１６】
また、本発明に係る記憶媒体は、前記情報入力方法の手順を実行するためのプログラムを記憶している。
【発明の効果】
【００１７】
クリーンルーム等の使用者認証方法として指紋等の身体的特徴を使用できない環境においても、また、ユーザごとに固有の器具を用意することをしなくても、使用者の操作特徴量により使用者の自動認証を実施し、セキュリティを強化することができる情報入力装置、情報入力方法を提供することができる。
【発明を実施するための最良の形態】
【００１８】
以下、本発明の実施の形態について、図面を用いて説明する。
図１〜図１２は、本発明に係る情報入力装置の実施の形態を示す図である。
ここで、本発明に係る情報入力装置は、使用者を特定した上で、情報を入力させるようになっている。すなわち、情報入力装置の使用権限を有する使用者が、情報入力装置にログインした後、この使用者に情報を入力させるようになっている。
【００１９】
そして、本発明に係る情報入力装置は、所定の情報を入力する情報入力手段と、使用者の変更を検知するための変更検知レベルを予め記憶する変更検知レベル記憶手段と、前記情報入力手段の使用者の操作状況を取得する操作状況取得手段と、前記操作状況取得手段によって取得された操作状況から操作特徴量を算出する操作特徴量算出手段と、前記操作特徴量の履歴情報を記憶する履歴情報記憶手段と、前記操作特徴量算出手段によって算出された操作特徴量と前記履歴情報とに基づいて前記操作特徴量の変化量を算出する変化量算出手段と、前記操作特徴量の変化量と前記変更検知レベルとに基づき使用者の変更を検知する使用者変更検知手段と、前記使用者変更検知手段により使用者の変更を検知された場合に、使用者の識別情報を入力するための入力画面を表示する表示手段と、を備えている。
【００２０】
図１は、本発明に係る情報入力装置としてのコンピュータ装置の構成図を示したものである。
コンピュータ装置は、コンピュータ１と、情報入力手段としてのキーボード２、およびマウス３と、表示手段としての情報出力用のＣＲＴ４と、を備え、情報入力、および使用者識別情報入力をすることができる。ここで、特許請求の範囲における所定の情報とは、使用者識別情報に加え、これ以外のコンピュータ装置を使用する際に使用者が入力する必要がある情報を含む。
【００２１】
コンピュータ１は、図示しないＣＰＵ（Central Processing Unit）と、ＣＰＵによって実行される後述するプログラムを記憶した図示しないＲＯＭ（Read Only Memory）と、ＲＯＭに記憶されたプログラムを実行するＣＰＵが利用するデータを記憶する図示しないＲＡＭ（Random Access Memory）と、情報を記憶するハードディスクとを有している。操作状況取得手段、操作特徴量算出手段、変化量算出手段、使用変更検知手段、検知レベル変更手段は、ＣＰＵによって構成されている。
【００２２】
キーボード２、およびマウス３から入力された情報は、各クライアントが備えるハードディスク等の情報記録領域５に格納される。
また、キーボード２、およびマウス３により入力された情報は、入出力インタフェース６を介して、一般のアプリケーション７で使用されるとともに、操作特徴量算出アプリケーション８にも情報として伝達される。この一般のアプリケーション７および操作特徴量算出アプリケーション８は、上述したＲＯＭに記憶されている。
操作特徴量算出アプリケーション８を実行するＣＰＵによって算出された情報は、情報記録領域５に記憶される。
【００２３】
次に情報記録領域５に格納する情報の構成を図２〜図４に基づいて説明する。
図２は、使用履歴を表す履歴情報を格納するための使用履歴格納テーブルである。
格納されている情報としての履歴情報は、使用者のＩＤ情報、使用日時、操作コード、特徴量である。
【００２４】
図３は、使用者、および操作コードごとに設定された特徴量のマスタテーブルである。
格納する情報は、使用者のＩＤ情報、操作コード、変更検知レベルである。
使用者、操作コードごとに、変更検知レベルが設定されており、この変更検知レベル以上の変化量が生じた場合には、使用者が変更されたと検知される。
【００２５】
図４は、特徴量のマスタテーブルの変更履歴を管理するテーブルである。格納する情報は、使用者のＩＤ情報、操作コード、マスタ変更日時、変更検知レベル（変更前データ）、変更検知レベル（変更後データ）である。
【００２６】
次に、使用者による情報入力における使用者の変化を検知するための動作フローを図５に沿って説明する。
なお、本動作は、通常の情報入力に関わるアプリケーションの動作フローと並行して動作しているものである。
まず、システム起動時には、システム使用者か否かを認証するため、必ず使用者識別情報、パスワードが情報入力手段により入力される(Ｓ１)。
操作情報取得手段により操作入力があるか否か判断され、入力があれば次ステップ以降へ進み、入力がなければこのまま待機する(Ｓ２)。
【００２７】
入力された操作情報が一定量になるまで情報を取得し（Ｓ３）、操作特徴量算出手段によりその後の操作特徴量が算出される（Ｓ４）。
履歴情報記憶手段に記憶された直前の操作特徴量と、ステップＳ４で算出した操作特徴量とから変化量が変化量算出手段により算出され、変更検知レベル記憶手段に記憶されている変更検知レベルと前述の変化量とに基づき統計学的に有意差があるかが使用者変更検知手段により判定される（Ｓ５）。
【００２８】
ステップＳ５で操作特徴量に有意差がある場合には、使用者の変更が使用者変更検知手段により検知され、さらに入力情報のセキュリティレベルに応じて、対応が選択される（Ｓ６、Ｓ８、Ｓ１０）。
ステップＳ６で操作情報のセキュリティレベルが大の場合には、通常の情報入力に関わるアプリケーションに割り込み処理を行い、操作を即時ロックし、ユーザＩＤ、およびパスワードの入力を促す画面が表示手段により表示される（Ｓ７）。
【００２９】
また、ステップＳ８で操作情報のセキュリティレベルが中の場合には、通常の情報入力に関わるアプリケーションの状況を監視し、一連の操作が完了するまでは待機をする（Ｓ９）。
ステップＳ９で一連の作業が完了した時点で、通常の情報入力に関わるアプリケーションに割り込み処理を行い、操作をロックし、ユーザＩＤ、およびパスワードの入力を促す画面が表示手段により表示される（Ｓ７）。
【００３０】
また、ステップＳ８で操作情報のセキュリティレベルが小の場合には、通常の情報入力に関わるアプリケーション側の情報ウインドウに、使用者変更メッセージを表示し、前の使用者の状態を保持する（Ｓ１０）。
その後、操作情報のセキュリティレベルが中以上（Ｓ６、Ｓ８）になった場合には、操作をロックし、ユーザＩＤ、およびパスワードの入力を促す画面が表示手段により表示される（Ｓ７）。
【００３１】
ステップＳ５で使用者が変更されたと判断され、使用者識別情報を入力する必要がある場合には、再度使用者識別情報と、パスワードが情報入力手段により入力される。
使用者が変更されたと検知されたにも関わらず、同一の使用者である場合には、必要に応じて図３の特徴量マスタテーブルの構成要素である変更検知レベルを検知レベル変更手段により変更される。
この時は同時に、図４の特徴量のマスタテーブルの変更履歴を管理するテーブルについても同様に情報が検知レベル変更手段により追加される。
このように本実施の形態における情報入力装置は、上記の処理手順に従った情報入力方法を提供できるとともに、上記の処理手順をコンピュータに実行することが可能なプログラム及びこれを記憶した記憶媒体を提供できる。
【００３２】
次に操作特徴量の算出方法について、説明する。
操作特徴量として使用するものの一つとして、キーボードの入力速度、マウスクリックの速度が上げられる。
操作内容により、キー、マウスボタンの押される回数の合計、単位時間あたりに押されるキー、マウスボタンの回数にはばらつきがある。
【００３３】
操作特徴量として採用するキーボードの入力速度、マウスクリックの速度を算出するための方法を以下に説明する。
キーボード、マウスからの信号に基づいて、単位時間あたり、例えば１０秒間に押されたキー、マウスボタンの回数を一定間隔の間、ＲＡＭに格納する。格納された情報の中で、最も頻繁に発生した情報を採用し、キーボードの入力速度、マウスクリックの速度を算出する。
また、格納された情報の中で、最大となる情報を採用し、キーボードの入力速度、マウスクリックの速度を算出する方法もとることができる。
【００３４】
格納される情報の事例と、この場合に採用される情報について、図６〜図９に基づいて説明する。
図６は、図２の使用履歴格納テーブルに情報を時系列で格納した例である。
格納されている情報（履歴情報）は、使用者ＩＤ、使用日時、操作コード、そのときの特徴量である。
【００３５】
次に図６のデータをもとに、操作特徴量を算出するために必要な処理の事例を説明する。
同じ使用者ＩＤで操作された、一つのコードについての情報を、図６に示すテーブルから抽出し、図７に示すような情報（履歴情報）に変換する。
ここでは、使用者ＩＤ＝２、操作コード＝１の情報について抽出し、テーブルを作成している。
ここで最も頻繁に発生した情報は、入力回数「１０」の５回であり、この情報に基づいて入力速度＝１０回／（取得間隔）とする。
【００３６】
次に、新規な情報として、使用者ＩＤ＝２、操作コード＝１の情報が発生した場合には、最も古い情報を削除し、最新のデータを最後に追加する。その結果、図７の情報は、図８のような情報（履歴情報）に変更される。このように、履歴情報は、過去の操作特徴量を統計処理した値を用いている。
このときには、最も頻繁に発生した情報は、入力回数「１０」の４回となり、入力速度＝１０回／（取得間隔）となり、操作特徴量の変化量は、０である。
この場合、使用者の変更があったとは検知されない。
【００３７】
また、それぞれの最大回数を採用する場合には、図７では、最大入力速度＝３０回／（取得間隔）図８では、最大入力速度＝４０回／（取得間隔）となり、操作特徴量の変化量＝１０回／（取得間隔）である。
このとき、図９に示すような、操作特徴量マスタデータが用意されている。使用者ＩＤ＝２、操作コード＝１の時の、変更検知レベルは、５であり、上記の操作特徴量の変化量＝１０回／（取得間隔）は、マスタデータの変更検知レベル以上であるため、使用者の変更があったと検知される。
【００３８】
次に、特定の操作を実行するために必要な操作の組み合わせが複数用意されている場合について説明する。例えば入力場所を移動するために、１）マウスで移動、２）キーボードの矢印キーで移動、３）キーボードの「ＴＡＢ」キーで移動、４）情報入力後キーボードの「ＥＮＴＥＲ」キーで移動、等の組み合わせが用意され、任意に選択できる。
この場合は、図２に示す使用履歴格納テーブルの操作コードに、選択された操作の組み合わせをコード化して入力することで、操作特徴量を算出し、上記と同等な処理が可能である。
【００３９】
次に、一定時間の間に、入力情報を訂正する回数に基づいて操作特徴量を算出する事例について説明する。
入力情報を訂正する際、情報入力手段としてのキーボードの「Ｂａｃｋｓｐａｃｅ」キー、或いは「Ｄｅｌｅｔｅ」キーにより実行されるものとする。
この場合には、上記と同様に、単位時間あたりに、「Ｂａｃｋｓｐａｃｅ」キー、或いは「Ｄｅｌｅｔｅ」キーが押された回数を、一定間隔の間、ＲＡＭに格納する。格納された情報の中で、最も頻繁に発生した情報、或いは、最大となる情報を採用して、入力情報を訂正した回数とする方法である。
【００４０】
次に、操作が一定間隔無かった場合の事例について説明する。
図１０では、操作が一定間隔無かった場合の前後のみ、操作特徴量の変化を捉えるために、図６で説明した表を作成する前段階とし、同一の操作特徴量が連続して発生した場合には、同じレコードに格納し、連続発生回数を合わせて格納するようにした表である。
ここで、操作が一定間隔無かった場合の検知は、操作特徴量＝０で、連続発生回数が、一定回数以上（ここでは、５回以上とする）である。
操作が一定間隔無かったと検知されたときに、図１０のデータを、操作が一定間隔無かったレコードを境界にして、図１１、図１２のように展開する。
その後の処理は、上述ものと同様である。
【００４１】
このような本実施の形態におけるコンピュータ装置は、クリーンルーム等の使用者認証方法として指紋等の身体的特徴を使用できない環境においても、また、ユーザごとに固有の器具を用意することをしなくても、使用者の操作特徴量により使用者の自動認証を実施し、セキュリティを強化することができる。
【００４２】
また、本実施の形態におけるコンピュータ装置は、長期間に亘る操作特徴量を統計処理した値に基づいて変化量を算出することで、同一の作業者で同一の操作をする場合にも生じる操作の揺らぎを許容することができ、セキュリティを強化しながらも、操作性を低下させないようにすることができる。
【００４３】
また、本実施の形態におけるコンピュータ装置は、使用者の変更を検知する基準を、必要に応じて変更することが可能であり、同一の作業者で同一の操作をする場合にも生じる操作特徴量の変化を許容することができ、セキュリティを強化しながらも、操作性を低下させないようにすることができる。
【００４４】
また、本実施の形態におけるコンピュータ装置は、使用者変更の検知を、操作特徴量を取得する間隔が、規定された時間以上間隔があいたときにのみ、その取得した前後で変化量を算出することにすることで、使用者変更の検知を行うことで生じるシステム負荷を低減することができる。
【産業上の利用可能性】
【００４５】
以上のように、本発明に係る情報入力装置は、クリーンルーム等の使用者認証方法として指紋等の身体的特徴を使用できない環境においても、また、ユーザごとに固有の器具を用意することをしなくても、使用者の操作特徴量により使用者の自動認証を実施し、セキュリティを強化することができるという効果を有し、キーボード、マウス等の入力装置を用いて活用する情報システムにおいて、システム使用者を認証する機能を有する情報入力装置及び情報システム等として有用である。
【図面の簡単な説明】
【００４６】
【図１】本発明に係る情報入力装置の実施の形態を示す図であり、その概略構成図である。
【図２】本発明に係る情報入力装置の実施の形態の使用履歴格納テーブルを示す図である。
【図３】本発明に係る情報入力装置の実施の形態の操作特徴量マスタテーブルを示す図である。
【図４】本発明に係る情報入力装置の実施の形態の操作特徴量マスタ変更履歴格納テーブルを示す図である。
【図５】本発明に係る情報入力装置の実施の形態の処理を説明するための図である。
【図６】本発明に係る情報入力装置の実施の形態の使用履歴格納データを示す図である。
【図７】本発明に係る情報入力装置の実施の形態の使用履歴格納データを示す図である。
【図８】本発明に係る情報入力装置の実施の形態の使用履歴格納データを示す図である。
【図９】本発明に係る情報入力装置の実施の形態の操作特徴量マスタデータを示す図である。
【図１０】本発明に係る情報入力装置の実施の形態の使用履歴格納データを示す図である。
【図１１】本発明に係る情報入力装置の実施の形態の使用履歴格納データを示す図である。
【図１２】本発明に係る情報入力装置の実施の形態の使用履歴格納データを示す図である。
【符号の説明】
【００４７】
１  コンピュータ
２  キーボード（情報入力手段）
３  マウス（情報入力手段）
４  ＣＲＴ（表示手段）
５  情報記憶領域（変更検知レベル記憶手段、履歴情報記憶手段）
６  入出力インタフェース
７  一般のアプリケーション
８  操作特徴量算出アプリケーション
【図１】
2006243947.tif 000003
【図２】
2006243947.tif 000004
【図３】
2006243947.tif 000005
【図４】
2006243947.tif 000006
【図５】
2006243947.tif 000007
【図６】
2006243947.tif 000008
【図７】
2006243947.tif 000009
【図８】
2006243947.tif 000010
【図９】
2006243947.tif 000011
【図１０】
2006243947.tif 000012
【図１１】
2006243947.tif 000013
【図１２】
2006243947.tif 000014